(57)【要約】【課題】洗濯機に収納されたリモコンへの給電を簡単な防水構成で可能とする洗濯機を実現する。【解決手段】本体１９のリモコン収納部３０側に低圧トランスの１次巻線３１を配置し、リモコン２４内部には低圧トランスの２次巻線３４を配置しており、本体１９のリモコン収納部３０にリモコン２４を収納した時に、両者の巻線３１、３４が向かい合って低圧トランスを構成するように配置して、リモコン２４に本体１９から電源を供給できるよう構成したことにより、１次巻線３１に交流電圧を印加すると、１次巻線側鉄心３２に交番磁束が発生し、リモコン２４内部に配置した２次巻線３４に導かれる交番磁束により電圧が供給され、リモコン２４内部の蓄電池を充電することができるので、リモコン２４と本体１９双方の防水構成を簡単にすることができる。【選択図】図１
2016221005.tif 000002
【特許請求の範囲】
【請求項１】
本体と、前記本体に着脱可能なリモコン式操作設定表示部とを備え、
前記リモコン式操作設定表示部には、２次巻線を配設し、前記本体には、前記本体に前記リモコン式操作設定表示部を収納した時に前記２次巻線が近接する位置に１次巻線を配設し、前記１次巻線と前記２次巻線とでトランス構成とすることで、前記リモコン式操作設定表示部に前記本体から電源を供給する構成とした洗濯機。
【請求項２】
前記本体に、前記１次巻線に流れる電流を検知する電流検知手段を設け、前記電流検知手段によって検知される電流に応じて、交流電源から前記１次巻線に印加する交流電圧をＯＮ、ＯＦＦ制御するよう構成した請求項１記載の洗濯機。
【発明の詳細な説明】
【技術分野】
【０００１】
本発明は衣類の洗濯、すすぎ、脱水を行う洗濯機に関するものである。
【背景技術】
【０００２】
従来、一般家庭で洗濯、すすぎ、脱水の各行程を設定する操作部を、本体に着脱可能なリモコンで構成した洗濯機が提案されていた（例えば、特許文献１参照）。
【０００３】
図２は、従来の全自動洗濯機を示したもので、以下その構成について説明する。全自動洗濯機の本体１９は、内部に洗濯兼脱水槽２０を回転自在に設け、洗濯兼脱水槽２０の内部にパルセータ２１を回転自在に設けている。本体１９の上部に操作設定表示部２２を配置し、操作設定表示部２２は、本体操作設定表示部２３と、本体１９に着脱可能なリモコン式操作設定表示部２４とで構成している。本体操作設定表示部２３は、基本機能の操作設定表示を分担し、リモコン式操作設定表示部２４は、複雑な各種応用機能の設定表示を分担するようにしている。
【先行技術文献】
【特許文献】
【０００４】
【特許文献１】特開平１０−２０１９８４号公報
【発明の概要】
【発明が解決しようとする課題】
【０００５】
しかしながら、従来の洗濯機の着脱可能なリモコン式操作設定表示部２４（以下、リモコンと呼ぶ）は、水や洗剤に浸されるため、防水構造であることが必須である。リモコン２４を本体１９の上部の操作設定表示部２２に収納した状態において、リモコン２４の蓄電池に給電する必要があり、蓄電池への給電を給電用接続端子を用いて行う構成では、防水構成が困難である。また、リモコン２４に乾電池を収納して、乾電池を交換する構成では、乾電池を交換する作業が必要となり、消費者の利便性という観点から望ましいものではない。
【０００６】
本発明は、上記従来の課題を解決するもので、リモコンへの給電を簡単な構成で行い得る洗濯機を提供することを目的としている。
【課題を解決するための手段】
【０００７】
本発明の洗濯機は、上記目的を達成するために、本体と、前記本体に着脱可能なリモコン式操作設定表示部とを備え、前記リモコン式操作設定表示部には、２次巻線を配設し、前記本体には、前記本体に前記リモコン式操作設定表示部を収納した時に前記２次巻線が近接する位置に１次巻線を配設し、前記１次巻線と前記２次巻線とでトランス構成とすることで、前記リモコン式操作設定表示部に前記本体から電源を供給する構成としたものである。
【０００８】
これにより、リモコン式操作設定表示部への給電を簡単な構成で行うことができる。
【発明の効果】
【０００９】
本発明の洗濯機は、リモコン式操作設定表示部への給電を簡単な構成で行うことができる。
【図面の簡単な説明】
【００１０】
【図１】本発明の実施の形態１の洗濯機のリモコン収納状態のリモコン収納部の部分断面図
【図２】従来の洗濯機の説明図
【発明を実施するための形態】
【００１１】
第１の発明は、本体と、前記本体に着脱可能なリモコン式操作設定表示部とを備え、前記リモコン式操作設定表示部には、２次巻線を配設し、前記本体には、前記本体に前記リモコン式操作設定表示部を収納した時に前記２次巻線が近接する位置に１次巻線を配設し、前記１次巻線と前記２次巻線とでトランス構成とすることで、前記リモコン式操作設定表示部に前記本体から電源を供給する構成としたものである。
【００１２】
これにより、リモコン式操作設定表示部への給電を簡単な構成で行うことができる。
【００１３】
第２の発明は、上記第１の発明において、前記本体に、交流電源と、前記１次巻線に流れる電流を検知する電流検知手段を設け、前記電流検知手段によって検知される電流に応じて、前記交流電源から前記１次巻線に印加する交流電圧をＯＮ、ＯＦＦ制御するよう構成することにより、リレーにより１次巻線に印加する電圧を切断することで、無駄な無負荷電流を流す必要がないため、省エネな洗濯機を提供することができる。
【００１４】
以下、本発明の実施の形態について、図面を参照しながら説明する。なお、従来例と同じ構成のものは同一符号を付して説明を省略する。また、この実施の形態によって本発明が限定されるものではない。
【００１５】
（実施の形態１）
本発明の実施の形態１における洗濯機は、基本構成および基本機能が従来の洗濯機と同様であり、以下に簡単に説明するにとどめる。洗濯機は、本体１９の内部に衣類等の洗濯物を収容する洗濯兼脱水槽を回転自在に設け、洗濯兼脱水槽の内部にパルセータを回転自在に設けている。洗濯機は、洗濯兼脱水槽に給水する給水手段、洗濯兼脱水槽から機外に排水する排水手段、洗濯兼脱水槽を回転させる回転駆動手段、必要に応じて搭載される乾燥手段、これらの各手段を制御する制御手段を備えている。制御手段は、利用者によって操作設定表示部にて選択された洗濯コースに応じて、上記各手段を逐次制御し、洗い、すすぎ、脱水および乾燥の各機能を組み合わせて衣類等の洗濯物の洗濯を行なう。
【００１６】
図１は本発明の実施の形態１における洗濯機のリモコン収納状態のリモコン収納部の部分断面図である。
【００１７】
図１において、本体１９（本体）の上面前部に箱状に凹設したリモコン収納部３０を設け、操作設定表示部の少なくとも一部を構成し着脱可能な遠隔操作端末であるリモコン２４（リモコン式操作設定表示部）がリモコン収納部３０に収納される。リモコン収納部３０の底部裏面の本体１９には、１次巻線３１と１次巻線３１を巻いた１次巻線側鉄心３２を配置している。リモコン２４の内部には、２次巻線３４と２次巻線３４を巻いた２次巻線側鉄心３３を配置している。リモコン２４を本体１９のリモコン収納部３０に収納した状態で、１次巻線側鉄心３２と２次巻線側鉄心３３とで磁気回路を構成するように、１次巻線３１と２次巻線３４とが近接して対向するように配置している。これによって、リモコン２４をリモコン収納部３０に収納することによって低圧トランスが構成されるようにしている。
【００１８】
１次巻線３１の給電線には、電流検知用のカレントトランス３５（電流検知手段）を配置し、電流検知回路３６を通してマイコン３７に接続されている。１次巻線３１の給電線には、１次巻線３１に印加する電圧をＯＮ、ＯＦＦできるリレー３８を設け、マイコン３
７によりリレー３８がＯＮ、ＯＦＦを制御されるように構成してある。１次巻線３１の給電線は、例えば商用電源から降圧された、低電圧の交流電源３９に接続されている。
【００１９】
以上のように構成した洗濯機について、その動作、作用を説明する。
【００２０】
本体１９に配置した１次巻線３１に交流電源３９から交流電圧を印加すると、１次巻線側鉄心３２には交番磁界が発生し、リモコン２４に配置した２次巻線側鉄心３３を通じて交番磁界により２次巻線３４に電圧が誘起され、２次巻線３４に接続されている整流回路を通じてリモコン２４内の蓄電池に電流が充電される（図示は省略している）。リモコン２４への電源供給がコネクタ接続による方法ではなく、磁気回路による電源供給によるため、本体１９とリモコン２４の防水は簡単な構成で可能になる。
【００２１】
また、１次巻線３１に接続される給電線に流れる電流をカレントトランス３５（電流検知手段）により検出し、電流検知回路３６により電圧に変換してマイコン３７のＡ／Ｄ端子に入力される。マイコン３７は、定期的にリレー３８をＯＮ状態にして、１次巻線３１に流れる電流が無負荷電流か、充電電流かを判断して、充電電流と判断した場合は、リモコン２４内の蓄電池の充電が完了するまでリレー３８をＯＮ状態に維持する。充電電流が小さくなり、あらかじめ設定している値より小さくなった場合には、リレー３８をＯＦＦ状態に制御する。これにより、リレー３８で１次巻線３１に印加する電圧を切断することが可能となり、無駄な無負荷電流を流す必要がないため、省エネな洗濯機を提供することができる。
【００２２】
また、リモコン２４には、無線や赤外線等により本体１９と通信できる機能（説明は省略）を有しているが、リモコン２４の電源が切れた場合でも、本体１９側でリモコン２４がリモコン収納部３０に収納されているか否かを１次巻線３１側の電流検知で判断でき、リモコン２４が長時間本体１９のリモコン収納部３０に収納されていない時には、収納するようリモコン２４の表示部または本体１９側の操作設定表示部によりユーザーに報知することも可能である。
【００２３】
なお、本実施の形態では、電流検知手段は、カレントトランスを用いたが、これは一例であり、他の構成を用いてもよいことは言うまでもない。
【産業上の利用可能性】
【００２４】
以上のように、本発明にかかる洗濯機は、リモコンと本体とで低圧トランス構成でリモコンの蓄電池を充電が可能となるので、リモコンと本体双方の防水構成が簡単となりリモコン付の洗濯機等として有用である。
【符号の説明】
【００２５】
１９  本体（本体）
２４  リモコン（リモコン式操作設定表示部）
３０  リモコン収納部
３１  １次巻線
３２  １次巻線側鉄心
３３  ２次巻線側鉄心
３４  ２次巻線
３５  カレントトランス（電流検知手段）
３６  電流検知回路
３７  マイコン
３８  リレー
３９  交流電源
【図１】
2016221005.tif 000003
【図２】
2016221005.tif 000004